(57)【要約】【課題】  原画像の画質劣化を抑制しつつ、画像供給装置からの原画像情報で示される原画像と、当該原画像を用いて生成される生成画像を用いて合成画像を生成することが可能なプロジェクター等を提供すること。【解決手段】  プロジェクター１００が、画像供給装置および画像生成装置に対する画像情報の入出力を仲介するインターフェイス部１１０と、インターフェイス部１１０を介して画像供給装置から入力された原画像情報に基づき、変換画像情報を生成するとともに、インターフェイス部１１０を介して画像生成装置に変換画像情報を出力する情報生成部１４０と、インターフェイス部１１０を介して画像生成装置から入力された、変換画像情報に基づく生成画像情報と、原画像情報に基づき、合成画像を生成する合成画像生成部１５０と、合成画像を投写する投写部１９０を含んで構成される。【選択図】  図２
2011197382.tif 000002
【特許請求の範囲】
【請求項１】
画像供給装置および画像生成装置に対する画像情報の入出力を仲介するインターフェイス部と、
前記インターフェイス部を介して前記画像供給装置から入力された原画像情報に基づき、変換画像情報を生成するとともに、前記インターフェイス部を介して前記画像生成装置に前記変換画像情報を出力する情報生成部と、
前記インターフェイス部を介して前記画像生成装置から入力された、前記変換画像情報に基づく生成画像情報と、前記原画像情報と、に基づき、合成画像を生成する合成画像生成部と、
前記合成画像を投写する投写部と、
を含むプロジェクター。
【請求項２】
請求項１に記載のプロジェクターにおいて、
前記情報生成部は、前記投写部の解像度と適合するように前記原画像情報を変換することにより、前記変換画像情報を生成する、
プロジェクター。
【請求項３】
請求項１、２のいずれかに記載のプロジェクターにおいて、
前記合成画像生成部は、前記原画像情報で示される原画像の前面に、前記生成画像情報で示される生成画像を重ねることにより、前記合成画像を生成する、
プロジェクター。
【請求項４】
請求項３に記載のプロジェクターにおいて、
前記合成画像生成部は、前記原画像の前面に前記生成画像を透過状態で重ねることにより、前記合成画像を生成する、
プロジェクター。
【請求項５】
請求項１〜３のいずれかに記載のプロジェクターにおいて、
前記原画像情報は、コード情報を含み、
前記生成画像情報は、前記コード情報に基づいて自動生成される画像情報である、
プロジェクター。
【請求項６】
請求項３に従属する請求項５に記載のプロジェクターにおいて、
前記合成画像生成部は、前記原画像の前面に前記生成画像を非透過状態で重ねることにより、前記合成画像を生成する、
プロジェクター。
【請求項７】
画像供給装置および画像生成装置に対する画像情報の入出力を仲介するインターフェイス部を有するプロジェクターにおける画像生成方法であって、
前記プロジェクターは、
前記インターフェイス部を介して前記画像供給装置から原画像情報が入力され、
前記原画像情報に基づき、変換画像情報を生成し、
前記インターフェイス部を介して前記変換画像情報を前記画像生成装置に出力し、
前記インターフェイス部を介して前記画像生成装置から前記変換画像情報に基づく生成画像情報が入力され、
前記原画像情報と、前記生成画像情報とに基づき、合成画像を生成する、
画像生成方法。
【発明の詳細な説明】
【技術分野】
【０００１】
本発明は、プロジェクターおよび画像生成方法に関する。
【背景技術】
【０００２】
例えば、特開２００５−１２３７０８号公報に記載されているように、書画カメラで撮像された撮像画像を、ＰＣを介してプロジェクターに出力し、プロジェクターが当該撮像画像を投写する投写システムが提案されている。このような投写システムでは、ユーザーが、ＰＣを用いて撮像画像に文字の書き込み等を行い、文字の書き込み等の行われた画像をプロジェクターが投写する方式が一般的である。
【先行技術文献】
【特許文献】
【０００３】
【特許文献１】特開２００５−１２３７０８号公報
【発明の概要】
【発明が解決しようとする課題】
【０００４】
しかし、この方式の場合、書画カメラからＰＣに原画像を出力する際に変換が行われ、ＰＣからプロジェクターに原画像に基づく生成画像を出力する際にも変換が行われるため、原画像の画質の劣化が大きくなってしまう。
【０００５】
本発明にかかるいくつかの態様は、上記課題を解決することにより、原画像の画質劣化を抑制しつつ、画像供給装置からの原画像情報で示される原画像と、当該原画像を用いて生成される生成画像を用いて合成画像を生成することが可能なプロジェクターおよび画像生成方法を提供するものである。
【課題を解決するための手段】
【０００６】
本発明の態様の１つであるプロジェクターは、画像供給装置および画像生成装置に対する画像情報の入出力を仲介するインターフェイス部と、前記インターフェイス部を介して前記画像供給装置から入力された原画像情報に基づき、変換画像情報を生成するとともに、前記インターフェイス部を介して前記画像生成装置に前記変換画像情報を出力する情報生成部と、前記インターフェイス部を介して前記画像生成装置から入力された、前記変換画像情報に基づく生成画像情報と、前記原画像情報と、に基づき、合成画像を生成する合成画像生成部と、前記合成画像を投写する投写部と、を含むことを特徴とする。
【０００７】
また、本発明の態様の１つである画像生成方法は、画像供給装置および画像生成装置に対する画像情報の入出力を仲介するインターフェイス部を有するプロジェクターにおける画像生成方法であって、前記プロジェクターは、前記インターフェイス部を介して前記画像供給装置から原画像情報が入力され、前記原画像情報に基づき、変換画像情報を生成し、前記インターフェイス部を介して前記変換画像情報を前記画像生成装置に出力し、前記インターフェイス部を介して前記画像生成装置から前記変換画像情報に基づく生成画像情報が入力され、前記原画像情報と、前記生成画像情報とに基づき、合成画像を生成することを特徴とする。
【０００８】
本発明によれば、プロジェクターは、画像生成装置を経由しない原画像情報を用いて合成画像を生成することができるため、原画像の画質劣化を抑制しつつ、画像供給装置からの原画像情報で示される原画像と、当該原画像を用いて生成される生成画像を用いて合成画像を生成することができる。
【０００９】
また、前記情報生成部は、前記投写部の解像度と適合するように前記原画像情報を変換することにより、前記変換画像情報を生成してもよい。これによれば、プロジェクターは、投写部の解像度と適合した原画像情報を変換した変換画像情報を画像生成装置に出力することにより、画像生成装置は、投写部の解像度と適合した生成画像を生成することができる。これにより、プロジェクターは、投写部の解像度と適合した生成画像情報を用いて合成画像を生成することができるため、合成画像の画質を向上させることができる。
【００１０】
また、前記合成画像生成部は、前記原画像情報で示される原画像の前面に、前記生成画像情報で示される生成画像を重ねることにより、前記合成画像を生成してもよい。また、前記合成画像生成部は、前記原画像情報で示される原画像の前面に、前記生成画像情報で示される生成画像を重ねることにより、前記合成画像を生成してもよい。これらによれば、プロジェクターは、原画像に文字等の書き込まれた状態の合成画像を生成することができる。
【００１１】
また、前記原画像情報は、コード情報を含み、前記生成画像情報は、前記コード情報に基づいて自動生成される画像情報であってもよい。これによれば、プロジェクターは、自動生成される生成画像情報を用いて合成画像を生成することができる。
【００１２】
また、前記合成画像生成部は、前記原画像の前面に前記生成画像を非透過状態で重ねることにより、前記合成画像を生成してもよい。これによれば、プロジェクターは、例えば、原画像に２次元バーコード等が含まれる場合であっても、当該２次元バーコード等が隠れた状態の合成画像を生成することができる。
【図面の簡単な説明】
【００１３】
【図１】第１の実施例における投写システムの一例を示す図である。
【図２】第１の実施例におけるプロジェクターの機能ブロック図である。
【図３】第１の実施例における合成画像の生成手順を示すフローチャートである。
【図４】第１の実施例における原画像の一例を示す図である。
【図５】第１の実施例においてＰＣに表示された画像の一例を示す図である。
【図６】第１の実施例における生成画像の一例を示す図である。
【図７】第１の実施例における合成画像の一例を示す図である。
【図８】第２の実施例における原画像の一例を示す図である。
【図９】第２の実施例における生成画像の一例を示す図である。
【図１０】第２の実施例における合成画像の一例を示す図である。
【発明を実施するための形態】
【００１４】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１５】
（第１の実施例）
図１は、第１の実施例における投写システムの一例を示す図である。投写システムは、画像供給装置の一種である書画カメラ２１０と、画像生成装置の一種であるＰＣ２２０と、プロジェクター１００を含んで構成されている。プロジェクター１００は、書画カメラ２１０から原画像情報が入力され、当該原画像情報に基づく変換画像情報をＰＣ２２０に出力し、ＰＣ２２０から当該変換画像情報に基づく生成画像情報が入力され、原画像と生成画像を合成した合成画像を投写する機能を有している。
【００１６】
次に、このような機能を有するプロジェクター１００の機能ブロックについて説明する。図２は、第１の実施例におけるプロジェクター１００の機能ブロック図である。プロジェクター１００は、書画カメラ２１０から原画像情報が入力され、原画像情報に基づく変換画像情報をＰＣ２２０に出力し、ＰＣ２２０から変換画像情報に基づく生成画像情報が入力されるインターフェイス部１１０と、記憶部１３０と、記憶部１３０に原画像データ１３２および生成画像データ１３４を記憶する更新部１２０と、原画像データ１３２に基づく変換画像情報の生成等を行う情報生成部１４０と、原画像データ１３２と、生成画像データ１３４に基づき、合成画像を生成する合成画像生成部１５０と、合成画像を投写する投写部１９０を含んで構成されている。
【００１７】
なお、プロジェクター１００は、以下のハードウェアを用いてこれらの各部として機能してもよい。例えば、プロジェクター１００は、インターフェイス部１１０はＵＳＢインターフェイス等、更新部１２０、情報生成部１４０はＣＰＵ等、記憶部１３０はＲＡＭ等、合成画像生成部１５０は画像処理回路等、投写部１９０はランプ、液晶パネル、液晶駆動回路、レンズ等を用いてもよい。
【００１８】
次に、本実施例における合成画像の生成手順について説明する。図３は、第１の実施例における合成画像の生成手順を示すフローチャートである。ユーザーは、書画カメラ２１０を用いて問題用紙等を撮像し、書画カメラ２１０は、原画像（撮像画像）を示す原画像情報をプロジェクター１００に出力する。
【００１９】
図４は、第１の実施例における原画像３００の一例を示す図である。例えば、原画像３００は、「はっき」という漢字の問題を示す画像である。
【００２０】
インターフェイス部１１０に書画カメラ２１０から原画像情報が入力され、更新部１２０は、当該原画像情報を原画像データ１３２として記憶部１３０に記憶する（ステップＳ１）。なお、更新部１２０は、当該記憶を行う際に投写部１９０の解像度に合わせた変換や色の調整等を行ってもよい。情報生成部１４０は、原画像データ１３２に基づき、変換画像情報を生成し、インターフェイス部１１０は、当該変換画像情報をＰＣ２２０に出力する（ステップＳ２）。なお、変換画像情報は、原画像を示す情報以外にも、例えば、投写部１９０の解像度、表示可能色数等を示す情報を含んでもよい。
【００２１】
図５は、第１の実施例においてＰＣに表示された画像４００の一例を示す図である。画像４００は、原画像３００と同様の画像を示す。ユーザーは、例えば、ＰＣ２２０に接続されたペンタブレット２３０と、ＰＣ２２０にインストールされた手書き文字入力対応のソフトウェアを用いてＰＣ２２０の画面に表示された問題の空欄に解答となる漢字を記入する。ＰＣ２２０は、漢字の記入によって生成した生成画像を示す生成画像情報をプロジェクター１００に出力する。図６は、第１の実施例における生成画像３１０の一例を示す図である。図６に示すように、生成画像３１０は、原画像を含まない。また、生成画像３１０は、背景領域（文字で構成される前景領域以外の領域）が透過状態（透過率１００％）になっている。また、変換画像情報に投写部１９０の解像度が含まれる場合、ＰＣ２２０は、当該解像度と適合する生成画像３１０を生成することが可能である。
【００２２】
インターフェイス部１１０にＰＣ２２０から生成画像情報が入力され、更新部１２０は、当該生成画像情報を生成画像データ１３４として記憶部１３０に記憶する（ステップＳ３）。なお、更新部１２０は、当該記憶を行う際に、生成画像３１０の背景領域を透過状態に調整したり、生成画像３１０の色の調整を行ったりしてもよい。
【００２３】
合成画像生成部１５０は、原画像データ１３２、生成画像データ１３４に基づき、原画像３００の前面に生成画像３１０を配置した合成画像を生成し、投写部１９０は、当該合成画像を投写する（ステップＳ４）。
【００２４】
図７は、第１の実施例における合成画像３２０の一例を示す図である。合成画像３２０は、原画像３００の前面に生成画像３１０が配置された状態となっており、生成画像３１０の背景が透過状態であるため、漢字と重なる部分以外の原画像３００が見える状態となっている。
【００２５】
以上のように、本実施例によれば、プロジェクター１００は、ＰＣ２２０を経由しない原画像情報を用いて合成画像３２０を生成することができるため、原画像３００の画質劣化を抑制しつつ、書画カメラ２１０からの原画像情報で示される原画像３００と、当該原画像３００を用いて生成される生成画像３１０を用いて合成画像３２０を生成することができる。
【００２６】
また、本実施例によれば、プロジェクター１００は、投写部１９０の解像度と適合した原画像情報を変換した変換画像情報をＰＣ２２０に出力することにより、ＰＣ２２０は、投写部１９０の解像度と適合した生成画像３１０を生成することができる。
【００２７】
また、本実施例によれば、プロジェクター１００は、原画像の編集を補助するための変換画像情報をＰＣ２００に出力することにより、プロジェクター１００の機能に制限されないＰＣ２００によって高度な編集の行われた生成画像３１０を用いて合成画像３２０を生成することができる。
【００２８】
また、例えば、画像の投写されたホワイトボードや黒板に文字を書き込む手法の場合はホワイトボード等のサイズに制限され、画像の投写された壁に文字を書き込む手法の場合は文字を消すのが困難であるが、本実施例によれば、プロジェクター１００が生成画像３１０において文字の書き込まれた合成画像３２０のサイズを自由に調整して投写することができるため、より汎用的に合成画像３２０を生成することができる。
【００２９】
また、本実施例によれば、プロジェクター１００は、生成画像３１０の背景領域を透過状態に調整することにより、原画像３００に文字等の書き込まれた状態の合成画像３２０を生成することができる。
【００３０】
（第２の実施例）
第１の実施例では、生成画像３１０の一部を透過状態にしたが、生成画像３１０の全体を非透過状態（透過率０％）で生成してもよい。
【００３１】
図８は、第２の実施例における原画像３０１の一例を示す図である。原画像３０１は、コード情報の一種である２次元バーコード画像を含む。ここでは、当該２次元バーコード画像は、企業のホームページのＵＲＬを示す。情報生成部１４０は、原画像データ１３２に基づき、２次元バーコード画像を示す変換画像情報を生成し、インターフェイス部１１０は、当該変換画像情報をＰＣ２２０に出力する。ＰＣ２２０は、当該変換画像情報に含まれる２次元バーコード画像で示されるＵＲＬに基づき、インターネットを介して上記企業のホームページにアクセスし、当該ホームページの画像を示す生成画像を生成する。
【００３２】
図９は、第２の実施例における生成画像３１１の一例を示す図である。例えば、生成画像３１１は、企業のホームページを示す画像である。また、生成画像３１１の解像度は、原画像３０１の解像度と一致してもよい。更新部１２０は、インターフェイス部１１０にＰＣ２２０から入力された生成画像３１１を示す生成画像情報に基づき、生成画像データ１３４を記憶する。合成画像生成部１５０は、原画像データ１３２、生成画像データ１３４に基づき、原画像３０１の前面に生成画像３１１を配置した合成画像を生成し、投写部１９０は、当該合成画像を投写する。
【００３３】
図１０は、第２の実施例における合成画像３２１の一例を示す図である。合成画像３２１は、生成画像３１１と同様の画像を示す。すなわち、生成画像３１１の解像度は、原画像３０１の解像度と一致しているため、生成画像３１１が非透過状態で原画像３０１に重ねられることにより、合成画像３２１では原画像３０１が見えない状態になる。
【００３４】
以上のように、本実施例によっても、プロジェクター１００は、第１の実施例と同様の作用効果を奏する。また、本実施例によれば、プロジェクター１００は、ＰＣ２２０によって自動生成される生成画像情報を用いて合成画像４２１を生成することができる。
【００３５】
さらに、本実施例によれば、プロジェクター１００は、原画像３０１に２次元バーコード画像が含まれる場合であっても、当該２次元バーコード画像が隠れた状態の合成画像３２１を生成することができる。これにより、プロジェクター１００は、ＰＣ２２０による生成画像３１１の自動生成を行いつつ、ユーザーに隠すべき情報は隠して合成画像３２１を投写することができるため、ユーザーの使い勝手を向上させることができる。
【００３６】
（その他の実施例）
なお、本発明の適用は上述した実施例に限定されず、種々の変形が可能である。例えば、生成画像３１０の透過率は１００％や０％に限定されない。また、コード情報は、２次元バーコードに限定されない。また、合成画像３２０、３２１は、上述した実施例に限定されず、例えば、原画像が映画である場合に生成画像として字幕が付加された合成画像、スポーツの映像に○や矢印等が付加された合成画像、商店街の撮像画像に生成画像として店舗の文字情報が付加された拡張現実に対応した合成画像等であってもよい。
【００３７】
また、更新部１２０、記憶部１３０、原画像データ１３２、生成画像データ１３４は必須ではない。例えば、情報生成部１４０は、入力された原画像情報をそのまま用いて変換画像情報を生成してもよく、合成画像生成部１５０は、入力された原画像情報と生成画像情報をそのまま用いて合成画像３２０、３２１を生成してもよい。また、インターフェイス部１１０は、ＵＳＢに限らず、アナログＲＧＢや、ＤＶＩ等のデジタルインターフェイス等を含んでもよい。
【００３８】
また、画像供給装置は、書画カメラ２１０に限定されず、例えば、デジタルカメラ、デジタルビデオカメラ、ＰＣ、携帯電話、携帯情報端末、ＤＶＤプレーヤー等であってもよい。また、画像生成装置は、ＰＣ２２０に限定されず、例えば、携帯電話、携帯情報端末等であってもよい。
【００３９】
また、プロジェクター１００の有するコンピューターは、情報記憶媒体に記憶されたプログラムを読み取って合成画像生成部１５０等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００４０】
また、プロジェクター１００は、液晶プロジェクター（透過型、ＬＣＯＳ等の反射型）に限定されず、例えば、デジタルマイクロミラーデバイスを用いたプロジェクター等であってもよいし、投写部１９０はランプの代わりにＬＥＤ等の個体光源を含んでもよい。また、プロジェクター１００の機能を複数の装置（例えば、ＰＣとプロジェクター等）に分散してもよい。
【符号の説明】
【００４１】
１００  プロジェクター、１１０  インターフェイス部、１２０  更新部、１３０  記憶部、１３２  原画像データ、１３４  生成画像データ、１４０  情報生成部、１５０  合成画像生成部、１９０  投写部、２１０  書画カメラ（画像供給装置）、２２０  ＰＣ（画像生成装置）、２３０  ペンタブレット、３００、３０１  原画像、３１０、３１１  生成画像、３２０、３２１  合成画像、４００  画像
【図１】
2011197382.tif 000003
【図２】
2011197382.tif 000004
【図３】
2011197382.tif 000005
【図４】
2011197382.tif 000006
【図５】
2011197382.tif 000007
【図６】
2011197382.tif 000008
【図７】
2011197382.tif 000009
【図８】
2011197382.tif 000010
【図９】
2011197382.tif 000011
【図１０】
2011197382.tif 000012